(57)【特許請求の範囲】
【請求項１】
複数のトランクファイバーに接続された複数の分岐ユニットから分岐トラフィックを伝送する、それぞれ分岐挿入入力用及び分岐抜き出し出力用の単一のファイバー対を使用するシステムであって、
トランクトラフィックを伝送するための複数の光ファイバートランクと、
複数の分岐ユニットであって、各々はファイバートランクの１つに接続され、かつ各々は挿入及び抜き出しポートを有する分岐ユニットと、
複数のファイバーグレーティングであって、該ファイバーグレーティングの各々は、前記複数の分岐ユニットの個々の関連する分岐ユニット内に設けられ、該複数の分岐ユニットの前記個々の関連する分岐ユニットは、それの前記挿入ポートから前記抜き出しポートへ前記分岐トラフィックを渡す、複数のファイバーグレーティングと
前記分岐ユニット間で分岐トラフィックを伝送するために、前記分岐ユニットを接続する前記の単一のファイバー対と、
を具備するシステム。
【請求項２】
挿入ポート及び抜き出しポートを有する第１の引渡し装置と、
挿入ポート及び抜き出しポートを有する第２の引渡し装置と、
第１の端部と第２の端部を有し、前記第１の端部が前記第２の引渡し装置の前記抜き出しポートに結合され、前記第２の端部が前記第１の引渡し装置の前記挿入ポートに結合される第１のラインと、
を具備し、さらに
第１の端部と第２の端部を有し、前記第１の端部が前記第１の引渡し装置の前記抜き出しポートに結合され、前記第２の端部が前記第２の引渡し装置の前記挿入ポートに結合される第２のライン、を具備する多重化された光信号を通過させる装置であって、
ここに、前記第１及び第２の引渡し装置は、各々、
入トランクポートと、
出トランクポートと、
第１及び第２の入力／出力ポートを有するファイバーグレーティングと、
前記入トランクポートから前記第１の入力／出力ポートへ、かつ前記第１の入力／出力ポートから前記抜き出しポートへ第１の光信号を渡す手段と、
前記挿入ポートから前記第２の入力／出力ポートへ、かつ前記第２の入力／出力ポートから前記出トランクポートへ第２の光信号を渡す手段と、
を具備する、多重化された光信号を通過させる装置。
【請求項３】
前記第１の光信号を渡す手段は第１のサーキュレータを備え、前記第２の光信号を渡す手段は第２のサーキュレータを備える請求項２に記載の装置。
【請求項４】
前記第１の光信号を渡す手段はカプラーを備え、前記第２の光信号を渡す手段はカプラー及び光アイソレータを備える請求項２に記載の装置。
【請求項５】
前記第１の光信号を渡す手段はカプラーを備え、前記第２の光信号を渡す手段はサーキュレータを備える請求項２に記載の装置。
【請求項６】
前記ファイバーグレーティングは、ブラッググレーティング、回折格子、ファブリ・ペロ・エタロン、及びジルゴニアン・ルータを具備するグループの少なくとも１つである請求項２に記載の装置。
【請求項７】
前記第１及び第２のラインは、光媒体を具備する請求項２に記載の装置。
【請求項８】
前記第１及び第２の光信号は波長分割多重信号である請求項２に記載の装置。
【請求項９】
複数の分岐ユニットを備え、各分岐ユニットは挿入ポートと抜き出しポートを備えるシステムにおいて、各分岐ユニットの前記挿入ポートから前記抜き出しポートへ多重化光信号を引き渡す装置であって、
第１の入力ポートと、第１の入力／出力ポートと、第１の出力ポートを有し、前記第１の出力ポートには前記抜き出しポートが結合され、前記第１の入力ポートにて第１の多重化光信号を受ける第１のサーキュレータと、
第２の入力ポートと、第２の入力／出力ポートと、第２の出力ポートを有し、前記第２の入力ポートには前記挿入ポートが結合され、前記第２の入力ポートにて第２の多重化光信号を受ける第２のサーキュレータと、
前記第１の入力／出力ポートに結合されて前記第１の多重化光信号を受け、前記第１の多重化光信号の所定の波長を前記第２の入力／出力ポートに渡し、かついずれか残りの波長を前記第１の出力ポートに反射するファイバーグレーティングであって、さらに、前記第２の入力／出力ポートに結合して前記第２の多重化光信号を受け、前記第２の多重化光信号の所定の波長を前記第１の入力／出力ポートに渡し、かついずれか残りの波長を前記第２の出力ポートに反射するファイバーグレーティングと、
を具備する多重化光信号を引き渡す装置。
【請求項１０】
複数の引渡し装置の各対の間に単一の信号ラインを使用して該複数の引渡し装置間で光信号を引き渡す方法であって、各々の引渡し装置は入トランクポートと、出トランクポートと、挿入ポートと、抜き出しポートを有しており、前記方法は、
第１の対の第１の引渡し装置に対する入トランクポートにおいて第１の多重化光信号を受ける段階と、
前記第１の多重化光信号の所定の波長を、前記第１の引渡し装置に対する出トランクポートへ渡す段階と、
前記第１の多重化光信号のいずれか残りの波長を、前記第１の引渡し装置に対する抜き出しポートへ反射する段階と、
前記第１の対の第２の引渡し装置に対する抜き出しポートから、前記第１の引渡し装置に対する挿入ポートにおいて第２の多重化光信号を受ける段階と、
前記第２の多重化光信号の所定の波長を、前記第１の引渡し装置に対する前記抜き出しポートへ渡す段階と、
前記第２の多重化光信号のいずれか残りの波長を、前記第１の引渡し装置に対する出トランクポートへ反射する段階と、
を有する方法。
【請求項１１】
第３の多重化した光信号を形成するために、前記第２の多重化光信号の前記渡された波長と、前記第１の多重化光信号の前記反射された波長を結合する段階をさらに有する請求項１０に記載の方法。
【請求項１２】
前記第１の対の前記第１の引渡し装置は、引渡し装置の次の対に対して第２の引渡し装置となる請求項１１に記載の方法。
【請求項１３】
前記第３の多重化光信号を、引渡し装置の次の対の前記第１の引渡し装置に対する挿入ポートへ送出する段階をさらに有する請求項１２に記載の方法。
【発明の詳細な説明】
発明の分野
本発明は、光波通信システムにおける光信号処理に関する。より特定的には、本発明は、多重挿入／抜き出しマルチプレクサ（Multiple Add/Drop Multiplexer:ＡＤＭ）を単一の挿入／抜き出しライン対に結合する方法及び装置に関する。
発明の背景
通信分野に適用された光波通信システムは、大きく２つのカテゴリーに分類できる。これら２つのカテゴリーとは、光信号が一般的な都市間の距離（約５０から１００ｋｍ）と比較して比較的長い又は短い距離上で伝送されるかどうかによる長距離及び短距離である。長距離通信システムでは高容量トランクラインを必要とし、光学的増幅器を使用して数千ｋｍ以上で情報を伝送できる。
長距離通信システムは、一方の大陸から他方の大陸への国際的な通信トラフィックを担うために使用される。これは、度々水中に光ファイバー・トランクラインを敷設する必要があるので、これらのシステムは、しばしば海底システムと称される。
このような海底システムにおいては、地上システムと同様に、高容量ファイバートランクにて担われる波長多重光信号における所定の波長に注目する必要がある。これは、一般的に所望のトラフィックルーチン・パラメータに適合させるために必要となる。
これらの信号の方向を向け直すために使用する光学的構成要素は、挿入／抜き出しマルチプレクサ（ADD/DROP MULTIPLEXER:ＡＤＭ又は分岐ユニットとも称する）と称される。ＡＤＭは、波長多重光信号を分割し挿入するときに使用するキー装置として知られている。
図２は従来のＡＤＭの一例である。ＡＤＭ２０は、デマルチプレクサ２２、マルチプレクサ２４、及び光ファイバー１４ａ，１４ｂ，．．．，１４ｎのラインＮを備える。光学的ＡＤＭ２０回路において、波長λ１，λ２，．．．，λｎからなる多重入力光信号は、所望の光信号、例えば、λｉ及びλｊ，が出力される（「抜き出し（drop）」される）Ｎ個の波長の光信号に分割される。残りの光信号は光ファイバー１４ａ，１４ｂ，．．．，１４ｎを経て送信される。外のλｉ及びλｊは、光ファイバー１４ａ，１４ｂ，．．．，１４ｎを経て送信される信号に沿ってマルチプレクサに入力され（「挿入（add）」され）、多重化された光信号λ１，λ２，．．．，λｎとして出力される。
ソネットのようなトークンリング・ベースシステムの如きいくつかのシステムでは、多重ファイバートランクラインがある。各トランクラインはそれ自身のＡＤＭを持つ。従来、各ＡＤＭは、ある波長の情報を挿入し抜き出すための少なくとも一対のファイバーを必要とする。それ故、ファイバー対の数は、システムに使用されるＡＤＭの数に比例して増大する。これは、システムに使用されるファイバーの量を増大させるばかりか、ＡＤＭコントローラ及び関連光学的構成要素も増大させる。さらに、各ＡＤＭがそれ自身のファイバー対を使用するので、付加的な光学的構成要素無しでトランク間でトラフィックを送信するのは不可能である。
従って、実質的な必要性は、各ＡＤＭからの信号を挿入し抜き出すために使用するファイバー対の数を減らすために、多重ファイバートランク及び多重ＡＤＭを使用する光波通信システムに対して存在し、これにより、複数のＡＤＭに関連する光学的構成要素を減少させトランクとトランク間の経路を定めることを可能にする。
発明の要約
上述の観点から、多重高容量ファイバートランク及び多重ＡＤＭを採用したシステムにおいて使用される光学的構成要素の数を最少化する技術において必要性が存在する。
本発明は多重ＡＤＭを配置したシステムを提供するもので、各ＡＤＭは高容量ファイバートランク上で担われる波長多重光信号における所定の波長を挿入し抜き出すために同じファイバー対を利用する。
本発明はまた、ＡＤＭの挿入ラインから抜き出しラインへ光信号の所定の波長を渡す（passing）ことができるＡＤＭ装置を提供する。
本発明は多重ＡＤＭを配置したシステムを提供するもので、一方のファイバートランクからの信号を、同じファイバー対を使用して他方のファイバートランクに迂回させることができる。
本発明では、複数のトランクファイバーに付属した複数の分岐ユニットから分岐トラフィックを担うための単一のファイバー対を使用する。本発明は、トランクトラフィックを担うための複数の光ファイバートランクと、複数の分岐ユニットを備え、各々ははファイバートランクの１つに付属され、かつ挿入及び抜き出しポートを有する。単一のファイバー対は、分岐ユニット間で分岐トラフィックを担うための分岐ユニットを接続する。各分岐は、挿入ポートから抜き出しポートへ分岐トラフィックの引渡しを可能にする。
これらの利点及び以下で明らかにされる本発明の特徴と共に、本発明の特性は以下の詳細な説明と添付の請求項と図面を参照することでより明確に理解されるであろう。
【図面の簡単な説明】
図１は本発明の実施形態を展開した光波通信システムのブロック図である。
図２は従来のＡＤＭの概略図である。
図３（ａ）は本発明の実施形態のための引渡し装置（passing device）の第１の実施形態としての概略図である。
図３（ｂ）は本発明の実施形態のための引渡し装置の第２の実施形態としての概略図である。
図３（ｃ）は本発明の実施形態のための引渡し装置の第３の実施形態としての概略図である。
図４は本発明の第１の実施形態によるブロック図である。
図５は本発明の第２の実施形態によるブロック図である。
図６は本発明の第３の実施形態によるブロック図である。
図７は本発明の第４の実施形態によるブロック図である。
図８は本発明の第５の実施形態によるブロック図である。
図９は本発明の第６の実施形態によるブロック図である。
詳細な説明
この部分では、図面を詳細に参照して本発明を説明し、同様な部品には同じ参照番号を付する。
図１は、本発明の実施形態を展開した光波通信システムのブロック図である。図１は高容量波長分割マルチプレクス（ＷＤＭ）光波通信システムを示す。最も簡潔なフォームにおいて、ＷＤＭは、光ファイバーの異なる送信ウインドウにおいて２つのチャンネルを送信するために使用される。例えば、λＮで動作する現存の光波システムは、他のλＰのチャンネルを加えることにより容量として更新することができる。一般的なＷＤＭシステムは、１５５０ｎｍ（ナノメータ）ウインドウ、例えば、１５３０〜１５６５ｎｍの範囲のλ１〜λＮで動作する。
光通信送信機２００，２１４及び２１６は、各波長λ１，λ２，．．．，λＮで光通信チャンネルを送信する。マルチプレクサ２１０は多重化信号２０２を形成するためにこれらの信号を多重化する。多重化信号２０２は受信端に送信するために光ファイバー２０４に送出される。光ファイバー２０４は高容量トランクなので、信号２０２は「トランクトラフィック」とも称される。送信中では、多重化信号２０２はＡＤＭ２０６を通過する。ＡＤＭ２０６は光ファイバー２３６の後段の多重化信号２３４に配置される。受信端において、デマルチプレクサ２１２は多重分離を行い、受信機２０８，２１８，．．．，２２０に、各波長λ１，λ２，．．．，λＮの経路を定める。
すでに波長λｉの光情報信号は波長λｉの他の光情報信号に置き換えられているので、多重化信号２３４が多重化信号２０２とは相違することに注目する必要がある。多重化信号２０２及び２３４は同じ信号波長を含むが、これらは必ずしも同じ情報を担ってはいない。
ＡＤＭ２０６は、出分岐３６０上への送信を継続するために、入分岐３４０からの所定の信号をＡＤＭ２０６へ渡す引渡し装置（passing device）４６６を含む。引渡し装置４６６の種々の形態例を図３（ａ），図３（ｂ）及び図３（ｃ）に示す。
図３（ａ）は引渡し装置４６６の説明図である。引渡し装置４６６は全ての波長を引き渡すが、ある波長が挿入され又は抜き出される（例えば、λｉ）。図３（ａ）は入トランク４９６、出トランク４９８、入分岐４９２、出分岐４９４、及びサーキュレータ４７６及び４７４を示し、その全てはファイバーグレーティング（fiber grating）４７２を経て接続される。本実施形態において、ファイバーグレーティング４７２はブラッググレーティング（Bragg Grating）である。ファイバーグレーティング４７２の他の例として、回折格子、干渉誘起グレーティング（interference induced grating）、ファブリ・ペロ・エタロン（Fabry-Perot etalon）、ジルゴニアン・ルータ（gergonian router）、又は波長を選択的に通す他の手段、を含むことができる。
入分岐４９２から渡される波長を変化させる信号として、これらはサーキュレータ４７４によりファイバーグレーティング４７２を通るように方向づけられる。ファイバーグレーティング４７２はブラッグ波長を偏向し、他の全ての波長を通す。この方法で、所望の波長は出トランク４９８上に配置した多重化信号に付加され、一方、他のＡＤＭへの宛て先を持つこれらの信号は出分岐４９４に渡される。
図３（ｂ）は、挿入ラインから抜き出しラインへ所望の信号を通すための他の実施形態を示す。図３（ｂ）は、サーキュレータよりもむしろカプラーを使用すること以外は、引渡し装置４６６と同じ機能を実行する引渡し装置４６８を示す。光アイソレータ４８４は、入分岐５００として使用されるカプラー４８２に追加され、信号が入分岐５００から入来するのを防止する。
図３（ｃ）は引渡し装置の第３の実施形態を示す。引渡し装置４７０は、引渡し装置４６６及び４６８と同じ機能を実行する。しかしながら、引渡し装置４７０は、この機能を実行するためにカプラー４８８及びサーキュレータ４８６を使用する。ＡＤＭの側の入分岐上にサーキュレータ４８６を配置することによって、付加的な光アイソレータの必要性が無くなり、それにより、全体的な構成要素の削減が可能となる。
図１に戻り、ＡＤＭ２０６を経て渡すことができる信号は、多重化信号に挿入され又は多重化信号から抜き出される信号を除いて、全ての信号である。従って、ＡＤＭ２０６において、入分岐３４０から進む全ての波長は、波長λｉを除き、ＡＤＭ２０６を経て出分岐３６０へ渡される。
図４は本発明の第１の実施形態によるブロック図である。図４は、入力トランク１，２，．．．，Ｎを有するシステム４１が、番号４２，４４及び４６で各々示される。システム４１もまた出力トランク１，２，．．．，Ｎを有し、各々番号４８、５０及び５２で示される。加えて、システム４１は、分岐挿入入力５４及び分岐抜き出し出力５６と称されるファイバー対を使用する。最終的に、ＡＤＭ５８、６０及び６２は、トランク対４２と４８、４４と５０、及び４６と５２、と同様に、分岐挿入入力５４及び分岐抜き出し出力５６にそれぞれ全て接続される。
より特定的には、ＡＤＭは、１つのＡＤＭの出分岐ラインが隣接するＡＤＭの入分岐ラインになるように構成される。従って、システム４１のトポロジー（topology）は、光ファイバー４７がＡＤＭ６２の出分岐及びＡＤＭ６０の入分岐の両方として供される。同様に、光ファイバー４５は、ＡＤＭ６０の出分岐及びＡＤＭ５８の入分岐の両方として供される。光ファイバー４３はＡＤＭ５８の出分岐として供される。本実施形態において、光ファイバー４３は、任意の位置に抜き出し信号を向ける。しかしながら、光ファイバー４３はＡＤＭ６２に対する入分岐として供されることが可能である。この形態は図８において論議される。
このように構成されたシステム４１は、多重ＡＤＭを使用して多重トランクラインへ信号を挿入し、多重トランクラインから信号を抜き出す単一のファイバー対を有する。引渡し装置４６６は挿入された信号及び抜き出された信号とは相違する波長の信号のみを許可し、これらは、以下の表にまとめたように、ＡＤＭ２０６を通る信号を処理するために４つの可能性のみが存在する。
0004105233.tif 000002
従って、ＡＤＭ５８，６０及び６２の引渡し装置４６６は、ブラッグ波長（又は分岐波長）を除く全ての波長を通すので、ＡＤＭ５８，６０及び６２はこれら波長に関して途中処理をしていない。
本発明の実施形態を、以下の例によって説明する。入来多重信号は、入力トランクライン４２，４４及び４６にて伝送される波長λ１からλ５の信号を含むものとして定義する。さらに、ＡＤＭ６２は波長λ２及びλ３を分岐し、ＡＤＭ６０はλ５を分岐し、ＡＤＭ５８はλ１及びλ４を分岐するものとする。
以下に説明するように、λ１からλ５は入トランク４２，４４及び４６から抜き出され、単一のファイバー対のみを使用する所望の宛て先に分岐される。波長λ１からλ５は入トランク４２からＡＤＭ６２に渡るので、ＡＤＭ６２は、ＡＤＭ６０にこれらの信号を送出する光ファイバー４７に波長λ２及びλ３を分岐する。ＡＤＭ６０の引渡し装置（図示せず）は波長λ５のみを反射するので、波長λ２及びλ３は光ファイバー４５上でＡＤＭ６０を経てＡＤＭ５８に渡される。さらに同様にＡＤＭ６０は、入トランク４４から光ファイバー４５へ波長λ５を分岐する。従って、λ２，λ３及びλ５はＡＤＭ５８に送信される。ＡＤＭ５８の引渡し装置（図示せず）は波長λ１及びλ４のみを反射するので、波長λ２，λ３及びλ５はＡＤＭ５８を経て光ファイバー４３上に渡される。同時に、入トランク４２からのλ１及びλ４はＡＤＭ５８により光ファイバー４３上に配置される。
同様に、λ１からλ５は出トランク４８，５０及び５２に付加される。λ１からλ５が光ファイバー５４からＡＤＭ６２に送信されるとすると、ＡＤＭ６２の引渡し装置は、入トランク４６から波長λ１，λ４及びλ５と共に多重化されたλ２及びλ３を反射し、出トランク５２に送出される。λ１，λ４及びλ５はＡＤＭ６０に渡されるので、ＡＤＭ６０の引渡し装置は、入トランク４４からのλ１からλ４と共に多重化されたλ５を反射し、出トランク５０に送出される。最終的に、λ１及びλ４はＡＤＭ５８に渡され、ＡＤＭ５８の引渡し装置は、入トランク４２からのλ２，λ３及びλ５とともに多重化されたλ１及びλ４を反射し、出トランク４８に送られる。
システム設計者は、特定の設計目的に到達する必要がなければ、例えば、図９に詳しく説明するように１つのトランクから他のトランクへ信号の経路を定める必要がなければ、２つのＡＤＭが同じ波長を分岐しないようにシステムを構成しなればならないことに注目する必要がある。
図５は本発明の第２の実施形態によるブロック図である。この第２の実施形態は、図４に示すシステムと同様に、マルチトランク及びマルチＡＤＭシステムを含む。しかしながら、図４のシステムは、同じ方向に信号を担う全ての入来トランクラインを有する。図４に示す実施形態において、代わりの入トランク７２，７６及び８０は、入トランクライン７０，７４及び７８とは反対方向に信号を担う。本実施形態では図４で論議した第１の実施形態と同様に動作する。
図６は本発明の第３の実施形態によるブロック図である。この第３の実施形態は、図６のシステムと同様にマルチトランク及びマルチＡＤＭシステムを含む。しかしながら、第３の実施形態では、代わりのトランクライン上に配置されたＡＤＭから信号を挿入し抜き出すために２つのファイバー対を使用する。従って、ファイバー１４６及び１４８は、１つの方向に動作するトランクライン１１２，１１６及び１２０に接続するＡＤＭ１３４，１３６及び１３８へ又はから、信号を挿入し又は抜き出すことを担い、一方、ファイバー１５０及び１５２は、反対方向に動作するトランクライン１２２，１２６及び１３０に接続するＡＤＭ１４０，１４２及び１４４へ又はから、信号を挿入し又は抜き出すことを担う。第３の実施形態は図４に関して論議した第１の実施形態と同様に動作する。
図７は本発明の第４の実施形態のブロック図である。この第４の実施形態は、図５に示すシステムと同様にマルチトランク及びマルチＡＤＭシステムを含む。しかしながら、第４の実施形態は二重のトランクライン対に置かれたＡＤＭから信号を挿入し抜き出すために、方向として交互の各トランクライン対とともに、単一のファイバー対を使用する。従って、入トランク１５４，１５８及び１６２は一方の方向における情報を担い、入トランク１５６，１６０及び１６４は反対方向の情報を担う。第４の実施形態は図４にて論議した第１の実施形態と同様に動作する。
図８は本発明の第５の実施形態についてのブロック図である。第５の実施形態は、光ファイバー６１がＡＤＭ４３８の挿入ポートに接続されることを除いて、図４にて論議した実施形態と同じトポロジーである。この方法で、１つのトランクラインからの信号は他のトランクラインへ経路が定められる。
図４に関連してなされた以前の例と同様の例は、図８に示す第５の実施形態の動作を例示する上で有用である。以前のように、入来する多重化信号が入力トランクライン４２，４４及び４６上で波長λ１からλ５の信号を含むものとして定義される。しかしながら、ＡＤＭ６２が波長λ５を分岐する例を仮定すると、ＡＤＭ６０はλ２を分岐し、ＡＤＭ５８はλ５を分岐する。
λ１からλ５は入トランク４６からＡＤＭ６２に入るので、ＡＤＭ６２は、光ファイバー６１上にλ５を分岐して、ＡＤＭ６０にこの信号を伝送する。ＡＤＭ６０の引渡し装置（図示せず）は波長λ２のみを反射するので、波長λ５は光ファイバー６１上でＡＤＭ６０を経てＡＤＭ５８に渡される。ＡＤＭ６０もまた同様に光ファイバー６１上で入トランク４４からλ２を分岐する。従って、λ２及びλ５はＡＤＭ５８に送信される。
ＡＤＭ５８の引渡し装置（図示せず）は波長λ５を反射するように構成されるので、光ファイバー６１からの波長λ５は、入トランク４２からのλ１からλ４とともに多重化される出トランク４８の方向へ経路化される。波長λ２はＡＤＭ５８を通って光ファイバー６１上に至る。同時に、入トランク４２からのλ５はＡＤＭ５８により光ファイバー６１上に配置される。
λ２からλ５は光ファイバー６１からのＡＤＭ６２に担われるので、ＡＤＭ６２の引渡し装置は、入トランク４６からの波長λ１からλ４と共に多重化されるλ５を反射する。多重化信号は出トランク５２上に送出される。
従って、上述の例は入トランク４６から出トランク４８へ経路を定める第５の実施形態を示す。さらに、入トランク４２から出トランク５２へ経路を定める第５の実施形態を示す。
図９は本発明の第６の実施形態を示すブロック図である。第６の実施形態は、以下の例外と共に第５の実施形態と設計上で同様である。単一のＡＤＭが１つの波長以上を分岐する場合において、各波長を２つの分離トランクに経路を定めることは望ましいことである。本発明の第６の実施形態は、経路を定めるべき各波長に対してＡＤＭを付加することにより達成される。
図９は、各々４４０，４４２，４４４及び４４６として示される入力トランク１から４を有するシステム４５５を示す。システム４５５はまた、各々４４８，４５０，４５２及び４５４として示される出力トランク１から４を有する。システム４５５は、ＡＤＭ４５６，４５８，４６０及び４６２を接続するための光ファイバー４６４を使用する。ＡＤＭ４５６，４５８，４６０及び４６２は、トランク対４４０と４４８、４４２と４５０、４４４と４５２、及び４４６と４５４に接続される。
第６の実施形態は、以下の例を使用して記載される。入トランク４４０，４４２，４４４及び４４６の各々はλ１からλ５を担う。ＡＤＭ４５６はλ１及びλ２を分岐し、ＡＤＭ４６０はλ１を分岐し、ＡＤＭ４６２はλ２を分岐する。動作上で、ＡＤＭ４５６は、ＡＤＭ４６２に光ファイバー４６４により渡されるλ１及びλ２を分岐する。ＡＤＭ４６２はλ２を分岐し、ＡＤＭ４６０へ、光ファイバー４６４からのλ１を渡し、かつ入トランク４４６からのλ２を渡す。ＡＤＭ４６０は、ＡＤＭ４５８へλ１を分岐し、かつＡＤＭ４５８へ、光ファイバー４６４からのλ２を渡し、かつ入トランク４４４からのλ１を渡す。ＡＤＭ４５６へ両方を渡す。ＡＤＭ４５６はλ１及びλ２を分岐する。
従って、システム４５５は、各々入トランク４４４及び４４６から出トランク４４８へλ１及びλ２の経路を定める。システム４５５はまた、入トランク４４０から出トランク４５２へλ１の経路を定め、入トランク４４０から出トランク４５４へλ２の経路を定める。
種々の実施形態が特にここで図示され説明されたが、本発明の種々の修正例と変形例に対して、上述の開示により本発明の精神と意図した範囲から逸脱することなくカバーすることができる。例えば、トランクラインはＷＤＭ及び単一チャンネルラインの組合せを担う。さらに、トランクラインは５つのチャンネルで図示されたが、如何なる数のチャンネルであっても可能であり、トランクラインは異なる数のチャンネルを持つことができる。
【図１】
0004105233.tif 000003
【図２】
0004105233.tif 000004
【図３（ａ）】
0004105233.tif 000005
【図３（ｂ）】
0004105233.tif 000006
【図３（ｃ）】
0004105233.tif 000007
【図４】
0004105233.tif 000008
【図５】
0004105233.tif 000009
【図６】
0004105233.tif 000010
【図７】
0004105233.tif 000011
【図８】
0004105233.tif 000012
【図９】
0004105233.tif 000013